(57)【要約】【課題】ＲＦ変調方式ＬＡＮシステムにおいて、ホテル等の客室の美的環境を悪化させることなくＲＦ変調方式ＬＡＮシステム用ＲＦ信号コンセントを設置する。【解決手段】ホテル等の館内に敷設された館内ＣＡＴＶ伝送路を介して宿泊者等にインターネット接続を提供するＲＦ変調方式ＬＡＮシステムにおいて、ホテル等の客室内に設置するＲＦ変調方式ＬＡＮシステム用ＲＦ信号コンセントを、ホテル等の客室内に設置する有料放送視聴装置に統合し、設置する。【選択図】図２
2004328695.tif 000002
【特許請求の範囲】
【請求項１】
ホテル等の館内に敷設された館内ＣＡＴＶ伝送路を介して宿泊者等にインターネット接続を提供するＲＦ変調方式ＬＡＮシステムにおいて、
前述のＲＦ変調方式ＬＡＮシステムは、２線式伝送路を介するｘＤＳＬ方式や、光ケーブルを介するＦＴＴＨ方式等のインターネット接続回線を介して外部のインターネット網に接続する変復調装置と、変復調装置を館内ＣＡＴＶ伝送路に接続する中央ケーブルモデムと、宿泊者等のパーソナルコンピュータを館内ＣＡＴＶ伝送路に接続するケーブルモデムと、ケーブルモデムを接続するＲＦ信号コンセントを有する事を特徴とする。
【請求項２】
前述のＲＦ変調方式ＬＡＮシステムにおいて、ＲＦ信号コンセントは、壁や机等に設置されず、有料放送視聴装置に設置する事を特徴とする。
【発明の詳細な説明】
【０００１】
【発明の属する技術分野】
本発明は、ホテル、旅館、病院等に設置するＲＦ変調方式ＬＡＮシステムに係り、特にＲＦ信号コンセントを有料放送視聴装置に設置するＲＦ変調方式ＬＡＮシステムに関する。
【０００２】
【従来の技術】
従来、ホテル等にてＲＦ変調方式ＬＡＮシステムを介して宿泊者等の利用者にインターネット接続を提供するシステムとしては、客室等にテレビ受像機等にて使用するＲＦ信号コンセントと、ＲＦ変調方式ＬＡＮシステム用ＲＦ信号コンセントの２ツを設けるシステムや、テレビ受像機等に使用するＲＦ信号コンセントからＲＦ信号を取り出し、ＲＦ信号分配器を客室内に設置して片方をテレビ受像機等へ接続し、他方をＲＦ変調方式ＬＡＮシステム用ＲＦ信号コンセントとして設置する方式が知られる。
【０００３】
このようなシステムでは、客室内にＲＦ変調方式ＬＡＮシステム用ＲＦ信号コンセントを家具や壁面等に設置し、宿泊者等のパーソナルコンピュータを館内ＣＡＴＶ伝送路に接続するケーブルモデムを接続する。
【０００４】
【本発明が解決しようとする課題】
しかしながら、上述した従来のＲＦ変調方式ＬＡＮシステムでは、客室内にＲＦ信号コンセントを２ツ以上設け、片方をテレビ受像機等に接続し、他方をＲＦ変調方式ＬＡＮシステム用ＲＦ信号コンセントとして家具や壁面等に設置する為、新規に家具や壁面等を構築する場合には客室等の美的環境と調和するように設置する事ができるが、既存の家具や壁面等に設置する場合には客室等の美的環境との調和を図る事が難しくなってしまうという問題や、客室内でＲＦ信号の分配を行う為に客室等の美的環境を悪化させてしまう問題が考えられる。
【０００５】
本発明は、ＲＦ変調方式ＬＡＮシステムにおいてホテル等の客室の美的環境を悪化させる事なく、ＲＦ変調方式ＬＡＮシステム用ＲＦ信号コンセントを設置する事を目的とする。
【０００６】
【課題を解決するための手段】
上記の課題を解決するため、本発明はホテル等の客室内に設置するＲＦ変調方式ＬＡＮシステム用ＲＦ信号コンセントを、ホテル等の客室内に設置する有料放送視聴装置に統合する事を特徴とする。
【０００７】
このように本発明によるＲＦ変調方式ＬＡＮシステム用ＲＦ信号コンセント付有料放送視聴装置を設置すれば、壁面等に設置するＲＦ信号コンセントは１ツだけで良く、客室等の美的環境を損なう事なくテレビ受信を行うだけでなく、ＲＦ変調方式ＬＡＮシステム用ＲＦ信号コンセントを設置する事ができ、前述の課題を解決することができる。
【０００８】
各室に設置されるＲＦ変調方式ＬＡＮシステム用ＲＦ信号コンセント付有料放送視聴装置は、壁面等から３Ｃ−２Ｖ等のＲＦ用同軸ケーブルにて館内ＣＡＴＶ伝送路と接続される。
【０００９】
ＲＦ変調方式ＬＡＮシステム用ＲＦ信号コンセント付有料放送視聴装置には、ＲＦ信号分配器を内蔵し、前述のＲＦ用同軸ケーブルにて館内ＣＡＴＶ伝送路と接続される事により、館内ＣＡＴＶ伝送路上に伝送されるテレビ放送信号並びにＲＦ変調方式ＬＡＮ信号を受信する。
【００１０】
テレビ放送信号は、ＲＦ変調方式ＬＡＮシステム用ＲＦ信号コンセント付有料放送視聴装置に内蔵されるテレビ信号受信器に接続され、テレビ映像、音声を受信する。また、前述のＲＦ信号分配器によりＲＦ変調方式ＬＡＮシステム用ＲＦ信号コンセントには、ＲＦ変調方式ＬＡＮ用ＲＦ信号が出力される。
【００１１】
【発明の実施の形態】
以下、図面を参照して本発明の実施形態を説明する。
図１は本発明の一実施形態に係るホテル内のＲＦ変調方式ＬＡＮシステムの概略構成を示す。このＲＦ変調方式ＬＡＮシステムは、外部インターネット網１と接続する変復調装置２と、変復調装置２から出力されるインターネット接続信号をＲＦ変調する中央ケーブルモデム３と、中央ケーブルモデム３にてＲＦ変調されたインターネット接続信号を館内テレビ共聴送信設備５から出力されるテレビ信号と混合するテレビ信号混合器４と、ホテル等の館内に敷設された館内ＣＡＴＶ伝送路６、客室７に設置されたＲＦ変調方式ＬＡＮシステム用ＲＦ信号コンセント付有料放送視聴装置８と、パーソナルコンピュータ１０を館内ＣＡＴＶ伝送路６に接続するケーブルモデム９にて構成される。
【００１２】
変復調装置２は、２線式伝送路を介するｘＤＳＬ方式や、光ケーブルを介するＦＴＴＨ方式等のインターネット接続回線を介して外部のインターネット網と接続する。変復調装置２は１０ＢＡＳＥ−Ｔ又は１００ＢＡＳＥ−ＴＸにて中央ケーブルモデム３と接続され、中央ケーブルモデム３からＲＦ信号としてテレビ信号混合器４によって館内テレビ共聴送信設備５から出力されるテレビ信号とテレビ信号混合器４によって混合され、館内ＣＡＴＶ伝送路６に出力される。
【００１３】
客室７には、ＲＦ変調方式ＬＡＮシステム用ＲＦ信号コンセント付有料放送視聴装置８が設置され、パーソナルコンピュータ１０を館内ＣＡＴＶ伝送路に接続するケーブルモデム９が接続される。このように接続される事により、客室７に設置されたパーソナルコンピュータ１０は、館内ＣＡＴＶ伝送路６を経由してインターネット網１に接続される。
【００１４】
図２はＲＦ変調方式ＬＡＮシステム用ＲＦ信号コンセント付有料放送視聴装置の概略構成を示す。
【００１５】
ＲＦ変調方式ＬＡＮシステム用ＲＦ信号コンセント付有料放送視聴装置８のＲＦ入出力端子１１より入力されたＲＦ信号は変調方式ＬＡＮシステム用ＲＦ信号コンセント付有料放送視聴装置８に内蔵されたＲＦ信号分配器１２によって分配され、変調方式ＬＡＮシステム用ＲＦ信号コンセント付有料放送視聴装置内のテレビ信号受信部１３にてテレビ映像、音声として再生される。また、ＲＦ信号分配器１２にて分配されたＲＦ信号はＲＦ変調方式ＬＡＮシステム用ＲＦ信号コンセント付有料放送視聴装置８に設置されたＲＦ変調方式ＬＡＮシステム用ＲＦ信号コンセント１４に出力される。
【００１６】
【発明の効果】
これまで説明したように、ＲＦ変調方式ＬＡＮシステム用ＲＦ信号コンセント付有料放送視聴装置を設置する事により、宿泊者等はインターネット接続回線を利用する事ができ、施設設置者は客室等の美的環境を悪化させる事なく、宿泊者等にインターネット接続回線を提供する事ができる。また、有料放送視聴装置と統合される事により、有料放送視聴装置にて課金を行う事も可能となる。
【図面の簡単な説明】
【図１】本発明の一実施形態に係るＲＦ変調方式ＬＡＮシステムの構成を示すブロック図
【図２】同実施形態におけるＲＦ変調方式ＬＡＮシステム用ＲＦ信号コンセント付有料放送視聴装置の構成を示すブロック図
【符号の説明】
１…外部インターネット網
２…変復調装置
３…中央ケーブルモデム
４…テレビ信号混合器
５…館内テレビ共聴送信設備
６…館内ＣＡＴＶ伝送路
７…客室
８…ＲＦ変調方式ＬＡＮシステム用ＲＦ信号コンセント付有料放送視聴装置
９…ケーブルモデム
１０…パーソナルコンピュータ
１１…ＲＦ入出力端子
１２…ＲＦ信号分配器
１３…テレビ信号受信部
１４…ＲＦ変調方式ＬＡＮシステム用ＲＦ信号コンセント
【図１】
2004328695.tif 000003
【図２】
2004328695.tif 000004